(57)【要約】      （修正有）【課題】従来のような携帯用小銭入れでは、硬貨がばらばらで払い出しが遅くなり、また、ポケットに入れて歩く際にポケットが膨らみ重く体裁の良いものではない、それを解決することを課題とする。【解決手段】硬貨穴に硬貨を入れる度に部品１９が下がり、また、硬貨を次から次へ引き出す度に部品１９が上がるようにスプリングの力を利用したものである。請求項２は、円筒形にして小銭入れ本体裏側の中心に磁石９を取り付け、側面に紐を付けたものである。また、ズボンのベルトに紐と小銭入れ本体が付くようにしたものである。従って、余分の小銭持ち歩くことなく、歩き易く、体裁良く、各種硬貨を簡単に引き出せて時間の短縮が出来る。ベルト取り付け型携帯用小銭入れとしたものである。【選択図】    図５
2007037940.tif 000002
【特許請求の範囲】
【請求項１】
各種硬貨穴を縦横楕円形や円形に並べて、穴の中にスフリングを入れ込み、硬貨を入れる度にスプリングが縮み、引き出す度にスフリングの力で下から上に硬貨が押し上げられ、上から順に硬貨を簡単に指で引き出せるもの、このようにスフリングを利用した。携帯用小銭入れ。
【請求項２】
円筒形小銭入れにしたもので、本体中心裏側に磁石を取り付け、磁石の周りに各種の硬貨穴が同じ間隔で並び、また、硬貨穴と硬貨穴のあいだ側面一箇所に紐を取り付けたものである。また、小銭入れ本体に磁石や紐を付けることにより、ズボンのベルトに付けられるようにした。ベルト取り付け型携帯用小銭入れ。
【請求項３】
円筒形にしたもので本体中心にスナップボタン凹と、ズボンのベルトにスナップボタン凸を取り付けたもの、それ以外は、請求項２と同じで、裏側は小銭入れとして利用でき、また、表側は装飾品として利用出来るベルト取り付け型携帯用小銭入れ。
【発明の詳細な説明】
【技術分野】
【０００１】本発明は、円筒形ベルト取り付け型携帯用小銭入れで、裏側中心部分に磁石を取り付け、磁石の周りに各種の硬貨穴が同じ間隔で並び、穴の中にスプリングを入れ込み、スプリング上の部品が硬貨を入れる度に下がり、引き出す度にスプリングの力で下から上に硬貨が押し上げられ、上から順に硬貨を簡単に指で引き出せるもの、このようにスプリングを利用したものである。また、試作品は各種硬貨が４枚重ねで収納出来るもので、厚みが１５．５ミリで直径６４ミリの小型のものである。【０００２】また、硬貨穴と硬貨穴のあいだ側面一箇所に紐を取り付け、ズボンのベルトに紐と小銭入れ本体裏側が付くようにした。【０００３】表側中心にジルコニアと側面四箇所にジルコニア周りにアルミを装飾した物である。また、裏側を硬貨出し入れ口として利用出来る円筒形ベルト取り付け型携帯用小銭入れとした。
【背景技術】
【０００４】従来から、小銭入れとして革製品や布製品で様々なものが多く出回っている。また、特許文献１や、特許文献２など公開されているものもある。
【特許文献１】特開２００５−１６９０３７号公報
【特許文献２】特開２００４−３５１１８１号公報
【発明の開示】
【発明が解決しようとする課題】
【０００５】従来のような携帯用小銭入れでは、硬貨がばらばらで払い出しが遅くなり、また、ポケットに入れて歩く際にポケットが膨らみ重く体裁の良いものではない、それを解決することを課題とする。
【課題を解決しようとする手段】
【０００６】この課題を解決するため請求項１の発明は、スプリングの力を利用したもので、硬貨穴に硬貨を前もって入れて置くことで、余分の硬貨を持ち歩くことなく、また、簡単に各種硬貨を上から順に指で引き出せて、時間の短縮ができる。
【０００７】また、請求項２の発明は、円筒形にして裏側を硬貨の出し入れ口と、中心に磁石を取り付けズボンのベルトに小銭入れ本体を取り付け、取り外しが簡単に出きることで、より早く小銭入れを手に取り硬貨を引き出せる。また、紐を小銭入れ本体側面と、ベルトに止めることにより、小銭入れ本体の落下防止になり、紐の中間が伸び縮みして全長が３０センチ位に伸びることにより、紐を外さずに硬貨の出し入れが出来る。また、本体表側を装飾品として利用でき、体裁良く、歩き易く、特徴のあるベルト取り付け型の携帯用小銭入れとした。
【発明の効果】
【０００８】本発明を手作りで試作し使用してみた結果では、ズボンのベルトに取り付ける事により、歩き易く、より早く、小銭入れ本体を手に取り硬貨を引き出せる。また、片手が不自由な人でも硬貨を簡単に指で押し出せて、紐の付いている位置で眼の悪い人でも、硬貨の並びが解る。また、小銭入れ本体に前もって硬貨を入れて置くで、余分の硬貨を持ち歩く必要が無くなり、また、表側を装飾品として利用でき体裁の良い大変便利な、携帯用小銭入れにしたものである。
【発明を実施するための最良の形態】
【０００９】図１は、小銭入れ本体裏側で、硬貨穴１・２・３・４・５と並び中心９が磁石で、側面７が紐の通る穴と８は紐を止めるピンで、また、側面６は装飾用ジルコニア四か所付けた物である。本体直径６４ミリで厚みが１５．５ミリの小型のものである。【００１０】図２は、小銭入れ本体表側で中心１０はジルコニアと、周り１１がアルミ、また、本体側面に１２を付けた物であり、１３は花柄模様としてデザインしたものである。【００１１】図３断面図Ａ、１８は、１円硬貨出し入れ口で、硬貨を入れる度に１９の部品が下がり、４枚重ねて収納できる。また、２０と２０が重ならないように上の径を狭く下へ行くほど径を広くしたことにより、小銭入れ本体をうすくした。【００１２】図４断面図Ｂ、１４は、５０円硬貨出し入れ口で、各種硬貨が、４枚重ね入れで、合計２０枚の硬貨が収納でき、６６４円以下の硬貨が買い物先などで払い出せる。また、硬貨の出し入れがし易いように１９、２３、は滑り易い素材を使い、また、２２は軽い素材を大部分使う事により小銭入れ本体が水に浮く軽さにしたものである。
【産業上の利用可能性】
【００１３】本発明に係る小銭入れは、工業的に量産する事が可能であるため、産業上の利用可能性の高い物である。
【図面の簡単な説明】
【００１４】
【図１】  裏側平面図
【図２】  表側平面図
【図３】  断面図Ａ
【図４】  断面図Ｂ
【図５】  ベルト取り付け平面図
【符号の説明】
１  １００円硬貨穴
２  ５０円硬貨穴
３  １０円硬貨穴
４  ５円硬貨穴
５  １円硬貨穴
６  側面４箇所キュービックジルコニア
７  側面紐取り付け穴
８  側面紐取り付けピン
９  磁石：直径１４ミリ
１０  本体表側中心キュービックジルコニア
１１  中心キュービックジルコニア外まわり部分のアルミ
１２  紐：紐の中間が伸び縮みして全長が３０センチ位に伸びて先端が挟めるもの
１３  花柄模様：表側表面塩ビ厚み１ミリ
１４  ５０円硬貨出し入れ口
１５  側面キュービックジルコニア外まわりのアルミ
１６  ズボンのベルト
１７  中心部分の止めピン
１８  １円硬貨出し入れ口
１９  バネ上の部品：硬化塩ビ厚み４ミリ
２０  バネ：上の径が狭く下に行くほど径が広くバネとバネが上から押されても重ならない
２１  低発泡塩ビ厚み１２．５ミリ
２２  硬化塩ビ厚み２ミリ
２３  ベルト取付金具凸
【図１】
2007037940.tif 000003
【図２】
2007037940.tif 000004
【図３】
2007037940.tif 000005
【図４】
2007037940.tif 000006
【図５】
2007037940.tif 000007